(57)【要約】【課題】  光学素子の位置の調整後の位置を固定する構造を備えた交換用レンズにおいて、レンズ外部から突出した光学位置調整部の固定操作部が、外部からの接触により意図せず操作され移動してしまう誤動作が発生しないように固定操作部を保護する構造を有するレンズ装置を提供する。【解決手段】  レンズ装置は、光学特性の調整のために可動の光学素子と、前記光学特性の調整のために前記光学素子を操作するための操作部材と、を有するレンズ装置であって、前記操作部材は、前記レンズ装置の光軸に垂直な平面に該レンズ装置を射影した場合に得られる影において、その輪郭を形成しないように、形成されている、ことを特徴とする。【選択図】  図３ｂ
2019015775.tif 000002
【特許請求の範囲】
【請求項１】
光学特性の調整のために可動の光学素子と、
前記光学特性の調整のために前記光学素子を操作するための操作部材と、を有するレンズ装置であって、
前記操作部材は、前記レンズ装置の光軸に垂直な平面に該レンズ装置を射影した場合に得られる影において、その輪郭を形成しないように、形成されていることを特徴とするレンズ装置。
【請求項２】
前記操作部材は、無限に広がる平面であって、前記レンズ装置の外形とは交わらず且つ該外形に接するいかなる平面とも接せず且つ交わらないように、形成されていることを特徴とする請求項１に記載のレンズ装置。
【請求項３】
前記操作部材は、ねじを含むことを特徴とする請求項１又は２に記載のレンズ装置。
【請求項４】
前記操作部材は、前記光学素子の動きを固定するための固定部材を含むことを特徴とする請求項１乃至３のいずれか１項に記載のレンズ装置。
【請求項５】
前記操作部材は、前記光軸の回りに回転可能な回転部材を含み、前記固定部材は、前記回転部材と接続されていることを特徴とする請求項４に記載のレンズ装置。
【請求項６】
前記光学素子は、前記光軸の方向に移動してフランジバックを調整するための光学素子であることを特徴とする請求項１乃至５のいずれか１項に記載のレンズ装置。
【請求項７】
請求項１乃至６のいずれか１項に記載のレンズ装置と、該レンズ装置によって形成された光学像を受光する撮像素子を含むカメラ装置とを有する撮像装置。
【請求項８】
前記操作部材は、回転軸の周りに回転可能なノブを有し、
前記カメラ装置と前記レンズ装置との間の前記光軸の方向における間隔は、前記回転軸の方向において、前記ノブから離れるにしたがって狭くなることはない、
ことを特徴とする請求項７に記載の撮像装置。
【発明の詳細な説明】
【技術分野】
【０００１】
本発明は、レンズ装置、およびそれを含む撮像装置に関するものである。
【背景技術】
【０００２】
従来、レンズ装置には、光学素子の位置を調整した後に固定する構造を備えるものがある。例えば、フランジバック（量）は、リングを回転させて調整したのち、固定用ネジで固定する構造を備えたものがある。
【０００３】
特許文献１では、フォーカスリング、ズームリング等のレンズ調整部に関して、リングを回転させて調整を行い、固定ネジで締め付け固定するという構造が開示されている。
【先行技術文献】
【特許文献】
【０００４】
【特許文献１】特開２０１１−１５４３０８号公報
【発明の概要】
【発明が解決しようとする課題】
【０００５】
上述の特許文献１に開示された従来技術では、固定ネジがレンズ取扱時に触れやすい位置に突出している。そのため、固定ネジに意図せず触れてしまった場合や外的な衝撃が加わった場合などに、固定ネジが緩むことにより、リングが動いて調整が損なわれうる。
【０００６】
本発明は、例えば、その光学特性の調整状態の維持に有利なレンズ装置を提供することを目的とする。
【課題を解決するための手段】
【０００７】
上記目的を達成するために、本発明のレンズ装置は、光学特性の調整のために可動の光学素子と、前記光学特性の調整のために前記光学素子を操作するための操作部材と、を有するレンズ装置であって、前記操作部材は、前記レンズ装置の光軸に垂直な平面に該レンズ装置を射影した場合に得られる影において、その輪郭を形成しないように、形成されていることを特徴とする。
【発明の効果】
【０００８】
本発明によれば、例えば、その光学特性の調整状態の維持に有利なレンズ装置を提供できる。
【図面の簡単な説明】
【０００９】
【図１】本発明の実施例のレンズ装置の概要を表した全体図である。
【図２】本発明の実施例のレンズ装置の光学位置調整部の断面図である。
【図３ａ】本発明の実施例のレンズ装置の光学位置調整部の固定操作部材をレンズマウント側から見た概要図である。
【図３ｂ】本発明の実施例のレンズ装置の光学位置調整部の固定操作部材を側面側から見た概要図である。
【図３ｃ】本発明の実施例のレンズ装置の光学位置調整部の固定操作部材を上面から見た概要図である。
【図４】本発明の実施例のレンズ装置とカメラを取り付けた状態の光学位置調整部の固定操作部材を上面から見た概要図である。
【図５】本発明の実施例のレンズ装置とカメラを取り付けた状態の光学位置調整部の固定操作部材を側面から見た概要図である。
【発明を実施するための形態】
【００１０】
以下に、本発明の好ましい実施の形態を、添付の図１〜５に基づいて詳細に説明する。
【実施例】
【００１１】
図１は、本発明の実施形態にかかわるレンズ装置の全体図である。
レンズ装置１００はレンズマウント１１を介して、撮像素子を有する不図示のカメラ装置１５に装着される。レンズ装置１００には、図１中に矢印で示す方向に回転操作が可能な光学位置調整リング１２を有する。レンズ装置１００は操作者が、光軸の回りに回転可能な光学位置調整リング（回転部材）１２に連動して動く機構を回転操作すると、レンズ装置１００の等倍光学系（光学素子）１９の最後端からカメラ装置１５の撮像素子２１面までの間隔（フランジバック、光学特性）を調整することができる。光学位置調整終了後、光学位置調整リング１２の外周部から突出して取り付けられている固定操作部材（ノブ）１３により固定される。本実施例では、固定操作部材１３は、図３ａに示すように光学位置調整リング１２との接続部から延出する方向を回転軸として回転可能なねじ機構により光学位置調整リング１２の回転を固定する場合を例示する。しかし、本発明はねじ機構に限定されることはなく、他の固定方法による固定操作部材であっても同様に適用できる。
【００１２】
図２は本発明を適用したレンズ装置１００の光学位置調整部の断面図である。本発明のレンズ装置１００は、該レンズ装置１００によって形成された光学像を受光する撮像素子２１を含むカメラ装置１５と接続することによって、撮像装置を構成する。光学位置調整は、等倍光学系１９を保持した等倍光学系鏡筒１７を、光学位置調整リング１２に取り付けられている連動ピン１６、鏡筒１８を介して回転運動を直線運動に変換して移動させて、光軸方向に可動な等倍光学系１９の後端から撮像素子２１までの間隔Ａを調整して行われる。また、等倍光学系１９の前側には変倍光学系２２があり、変倍光学系収納部１４の中で光路上位置と光路外位置に切り替えて使用される。
【００１３】
図３ａは本発明を適用したレンズ装置１００の光学位置調整部の固定操作部材１３をレンズマウント１１側から見た概要図である。光学位置調整部の固定操作部材１３は、レンズ装置１００の光軸に垂直な平面への射影において、変倍光学系２２を内蔵した変倍光学系収納部１４の最外形部の稜線より内側の斜線部の領域Ｂに位置している。すなわち、レンズ装置１００の光軸に垂直な平面へ射影した場合、固定操作部材１３の射影は変倍光学系収納部１４の射影内に位置する。したがって、レンズ装置１００をレンズ装置１００の光軸に垂直な平面に射影したとき、固定操作部材１３は前記射影の輪郭を構成しないように構成されている。このような構成により、レンズ装置１００取扱時に光軸方向に働く外圧から固定操作部材１３を保護することができる。
【００１４】
図３ｂは本発明を適用したレンズ装置１００の光学位置調整部の固定操作部材１３を矢印IIIｂ側から見た概要図である。光学位置調整部の固定操作部材１３は、変倍光学系収納部１４の最外形部の稜線とレンズマウント１１の最外径部の稜線を結んだ線の内側の斜線部の領域Ｅに位置している。また、図３ｃは本発明を適用したレンズ装置１００の光学位置調整部の固定操作部材１３を矢印IIIｃ側から見た概要図である。光学位置調整部の固定操作部材１３は、変倍光学系収納部１４の最外形部の稜線とレンズマウント１１の最外径部の稜線を結んだ線の内側の斜線部の領域Ｆに位置している。このように、レンズ装置１００の外形部が、無限に広がる平面であって、レンズ装置１００の外形とは交わらず且つ外形に接するいかなる平面にも固定操作部材１３が接することがないように構成されている。このような構成により、レンズ装置１００取扱時に外部の物が接触することによる影響を受けにくいように保護されている。
【００１５】
図４は本発明を適用したレンズ装置１００とカメラ装置１５が取り付けられた状態を側面（図３ａの矢印IIIｂの方向）から見た側面図である。図５は本発明を適用したレンズ装置１００とカメラ装置１５が取り付けられた状態を上面（図３ａの矢印IIIｃの方向）から見た平面図である。図４の側面図は、図５の平面図に示した状態において矢印IVの方向から見た側面図に対応する。また、図５の上面図は、図４の平面図に示した状態において矢印Ｖの方向から見た平面図に対応する。図４，５には、カメラ装置１５に備えられるビューファインダー２３が図示されている。
【００１６】
固定操作部材１３は光学位置調整リング１２の回動の固定部材としてだけでなく、レンズ装置とカメラ装置が接続された状態において、撮影画像を確認しながらフランジバックを調整する場合に光学位置調整リング１２を回動する操作手段としても使用される。固定操作部材１３を操作するためのスペースは、操作する方向から見て手前側（図４の上側、図５の紙面から離れる側）で広く、固定操作部材１３に近くなるにつれて狭くなっている。これは、カメラ装置１５とレンズ装置１００との光軸方向（図４の一点鎖線の方向）における間隔は、固定操作部材１３の軸方向（図４の二点鎖線の方向）において固定操作部材１３から離間するほど、間隔が狭くなることはないとも表現できる。これは、図４に示した前記間隔（ｘ、ｙ、ｚ）が、ｘ＜ｙ＜ｚで例示されている。少なくとも、ｘ＞ｙ、ｙ＞ｚ、又は、ｘ＞ｚのような構成は持たないことを特徴としている。この構成によって、突出してビューファインダー２３を有するカメラ装置１５がレンズ装置に装着されても、固定操作部材１３から固定操作部材１３の操作性を確保しながら固定操作部材１３に外部の物が接触することによる影響を受けにくいように保護されている。
【００１７】
本発明のレンズ装置では、光学位置調整部の固定操作部材がレンズ装置の形状によって、レンズ取扱時の外圧から保護される構造を有し、意図せず固定操作部材に触れてしまい光学位置調整がずれてしまうことを防止可能なレンズ装置を提供することができる。
【００１８】
以上、本発明の好ましい実施形態について説明したが、本発明はこれらの実施形態に限定されず、その要旨の範囲内で種々の変形および変更が可能である。
【符号の説明】
【００１９】
１００：レンズ装置
１２：光学位置調整リング（操作部材）
１３：固定操作部材（操作部材、固定手段）
１９：等倍光学系（光学素子）
【図１】
2019015775.tif 000003
【図２】
2019015775.tif 000004
【図３ａ】
2019015775.tif 000005
【図３ｂ】
2019015775.tif 000006
【図３ｃ】
2019015775.tif 000007
【図４】
2019015775.tif 000008
【図５】
2019015775.tif 000009